(57)【要約】【課題】  屋外に開口を設けて収納物を出し入れする床下収納装置では、外部からの影響を受けやすい。例えば、開口の存在により、人や小動物が侵入する恐れがあったり、雨水が浸入したり、火災時に炎が侵入したり、床下の断熱が不十分になる等の課題がある。【解決の手段】  建物の床下に、外方側が開放された開口２ｅを有し、その開口２ｅから収納容器３が出し入れ可能になっている収納箱２を設ける。その開口２ｅの周囲が密閉されることで、人や小動物等が収納箱２を越えて建物の床下部分まで到達することが出来ない。また、収納箱２の床面２ｃに開口方向への勾配を設け、収納箱２に耐火性、断熱性の向上する材料を被覆することで、排水性、耐火性、断熱性が向上する。【選択図】  図２
2006144310.tif 000002
【特許請求の範囲】
【請求項１】
建物周囲の床下に、外方側が開放された開口となされている収納箱が設けられ、建物周囲に床下空間を覆う壁又は基礎立ち上がり部が設けられて上記収納箱の開口の周囲が密閉されており、収納箱の内部には収納容器が収納可能となるとともに上記開口を通じて屋外へ出し入れ可能になっていることを特徴とする床下収納装置。
【請求項２】
上記収納箱の底面に、開口方向に下がった勾配が設けられていることを特徴とする請求項１記載の床下収納装置。
【請求項３】
上記収納箱を被覆して耐火性が向上する材料が設けられていることを特徴とする請求項１又２に記載の床下収納装置。
【請求項４】
上記収納箱を被覆して断熱性が向上する材料が設けていることを特徴とする請求項１乃至３のいずれかに記載の床下収納装置。
【発明の詳細な説明】
【技術分野】
【０００１】
本発明は、建物の床下、特に建物の周囲の床下を利用した床下収納装置に関する。
【背景技術】
【０００２】
従来の床下収納装置としては、居室の床下に収納庫を設け、居室の床板の一部を蓋とし、その床板部分の開口より出し入れをする床下収納庫が一般的である。また、特許文献１では建物の基礎の上に設けたフレームに収納容器を摺動自在に取り付け、建物の外部よりこの収納容器が引き出せる引き出し式の床下収納装置が記載されている。
【特許文献１】特開平７−３３１８５９号公報
【発明の開示】
【発明が解決しようとする課題】
【０００３】
上記の床板の一部を蓋にした床下収納庫では、居室の床上に人がかがみ込んだ姿勢で収納物を出し入れする必要があるため不便であった。また、特許文献１の床下収納装置では、建物の外部より収納容器の出し入れを行い、収納容器の位置が膝の高さ程度となって楽な姿勢で、収納物の出し入れが可能となり便利である。しかし、建物の外部から出し入れする床下収納装置であり、また、収納容器が基礎上のフレームに吊られた状態で取り付けられるため、収納容器が建物の外部や床下の影響を受けやすい。例えば、雨水が浸入したり、火災時に火が侵入したり、断熱が不十分になる等が挙げられる。また、小動物が侵入する恐れもある。
【０００４】
そこで、本発明の目的は、建物の外部から出し入れする床下収納装置の場合でも、床下空間への人や小動物の侵入を防ぎ、建物の外部からの影響も軽減することが出来る床下収納装置を提供することである。その中でも特に、防犯性、排水性、耐火性及び断熱性に対し有効な床下収納装置を提供することである。
【課題を解決するための手段】
【０００５】
本発明は上記目的を達成するためになされたものであり、請求項１の床下収納庫の発明は、建物周囲の床下に、外方側が開放された開口となされている収納箱が設けられ、建物周囲に床下空間を覆う壁又は基礎立ち上がり部が設けられて上記収納箱の開口の周囲が密閉されており、収納箱の内部には収納容器が収納可能となるとともに上記開口を通じて屋外へ出し入れ可能になっていることを特徴とする。
【０００６】
本発明の収納箱は、収納容器を収納するとともに、床下の空間に人や小動物等が侵入することを防ぐことを目的とするものである。床下の空間とは、本発明の床下収納箱が存在している床下部分を除いた残りの床下部分を示す（以下「床下部分」という。）。収納箱は、開口以外の、天井面、側面、背面及び底面の全ての面が仕切り板によって囲われた構成が、床下部分とを完全に区画することが出来て好ましい。なお、コーナー部など、壁または基礎立ち上がり部等の存在により収納箱に側面を設けなくても床下部分との区画が可能な場合がある。また、べた基礎等の存在により収納箱に底面を設けなくても地盤面との区画が可能な場合もある。また、収納箱の開口周囲と壁又は基礎立ち上がり部との接合部は、隙間が出来ないように接合が行われる。また収納箱の材料としては、ステンレスなどの金属板、コンクリート等が使用され、防犯性を考慮すると容易に破壊されることがなく強度のある材料が好ましい。
【０００７】
また、その収納箱の内部には収納容器が設置され、開口からの出し入れが可能なものとなっている。出し入れの手段としては、例えば、収納箱に対して収納容器が案内レールとローラーにより移動可能にすることにより引き出す手段や、収納容器の底に車輪を取り付け収納箱の底面の上を車輪が転がることにより引き出す手段、などがある。
【０００８】
以上の構成により、収納箱が、床下部分と収納箱の内部とを完全に区画し、人や小動物等が収納箱を越えて建物の床下部分まで到達することが出来ない構造となっている。また、収納物は収納容器に保管し、出し入れは屋外より収納容器を引き出すなどして行われる。
【０００９】
請求項２の発明は、請求項１記載の床下収納装置であって、上記収納箱の底面に、開口方向に下がった勾配が設けられていることを特徴とする。
【００１０】
請求項２の発明は上記収納箱の内部に雨水などが溜まらないようにすることを目的とし、収納箱の底面に、外方の開口の方向に雨水などが流れ、開口から屋外に排出される勾配を設けるものである。よって、上記勾配の終点は屋外の地盤より高い位置になっている。収納箱の底面に勾配を設ける手段としては、例えば、収納箱の底面に底板を設け、その底板の奥側下部にコンクリートブロックや鋼材等の支持部を設け、底板に開口に向かう勾配をつける手段や、底板のレベル調整が可能なように、底板にナットを設置し、このナットに脚となるボルトを螺合して、その螺合量により底板勾配の調整を行う手段などがある。
【００１１】
以上の構成により、収納箱の底面に開口に向かう勾配ができ、収納箱内部に万一、雨水などが浸入したとしても、収納箱内に溜まることなく開口より屋外に排水される。なお、雨水などが底面に溜まらないように、少なくても１／１００以上の勾配を確保することが好ましい。なお、上記収納容器の出し入れのために設けるレールやローラーは、収納箱の底面の勾配とは独立した構成とし、水平に設置すると底面の勾配の影響を受けずに出し入れが可能であり好ましい。
【００１２】
請求項３の発明は、請求項１又は２記載の床下収納庫であって、上記収納箱を被覆して耐火性が向上する材料が設けられていることを特徴とする。
【００１３】
請求項３の発明は、収納箱の耐火性の向上を目的とする。耐火性が向上する材料が設けられる場所としては、収納箱の内側又は外側の全面に設けることが、収納箱の耐火性を効果的に向上させることが出来て好ましい。ただし、収納箱の床面等はコンクリート土間等を設けた場合では、耐火性が期待できるため底面に設けないこととしてもよい。耐火性が向上する材料としては、例えば、せっこうボード、せっこうセメント板、石綿スレート、石綿パーライト板、ケイ酸カルシウム板などの不燃材料等があり、これらが接着剤、ビス等の固定手段により固定される。
【００１４】
以上の構成により、収納箱を被覆した耐火性が向上する材料が、火災時に外部からの炎の進入を抑制する働きをし、建物の床下部分に燃焼が拡大することを防止する。
【００１５】
請求項４の発明は、請求項１乃至請求項３のいずれかに記載の床下収納庫であって、上記収納箱を被覆して断熱性が向上する材料が設けられていることを特徴とする。
【００１６】
請求項４の発明は収納箱の断熱性の向上を目的とする。断熱性が向上する材料が設けられる場所としては、収納箱の内側又は外側の全面に設けることが、収納箱の断熱性を効果的に向上させることが出来て好ましい。ただし、収納箱の床面等は地盤やコンクリート土間等によりある程度断熱されるため底面には設けないこととしてもよい。断熱性が向上する材料としては、例えば、ロックウール、グラスウール、ポリウレタンフォーム、などの断熱材等であり、これらが接着剤等の固定手段により固定される。
【００１７】
以上の構成により、収納箱を被覆した断熱材が、外部からの熱を伝えにくくし、建物の床下部分が断熱された状態となり、床下部分の温度変化が緩和される。
【００１８】
なお、各請求項の構成を兼用した材料の使用も可能である。例えば、収納箱の外側に請求項３の耐火性と請求項４の断熱性の両方の作用を有するＡＬＣ版等を使用した構成や、収納箱の材料として請求項１の防犯性を考慮した強度と請求項２の耐火性能を有するコンクリートやレンガ等を使用した構成などが可能である。
【００１９】
また、上記は外方の開口からの収納容器の出し入れについて述べたが、背景技術にもあるような床板の一部を蓋とし、床板部分の開口より出し入れを行うことを、本発明と併用して使用することも可能である。なお、この場合は防犯性を考慮して室内側から施錠出来る構成が好ましい。また、耐火性を向上する材料や断熱性が向上する材料は、収納箱の天井面となる蓋に設けるとよい。
【発明の効果】
【００２０】
以上のことより、請求項１の発明では、収納箱が、建物の床下部分とを区画し、収納箱を越えて人や異物が建物の床下部分まで到達することがなく、防犯性や建物保護に優れた効果がある。
また、収納容器は収納箱の開口より、屋外へ出し入れされる構造であるため、楽な姿勢で、収納物を出し入れすることが可能である。
請求項２の発明では収納箱の底面に勾配がつけられていることにより、排水性に優れた効果がある。
請求項３の発明では収納箱に耐火性が向上する材料が設けられていることにより、耐火性に優れた効果がある。
請求項４の発明では収納箱に断熱材を設けられていることにより、断熱性に優れた効果がある。
【発明を実施するための最良の形態】
【００２１】
以下、本発明の実施の形態を図面に基づいて説明する。
【実施例１】
【００２２】
図１乃至３は本発明の床下収納装置を示す模式図であり、図１は床下収納装置の組立図、図２は断面図、図３は収納箱の床板に設けた勾配調整手段の詳細図を示す。
【００２３】
本実施例の床下収納装置の主な構成としては、収納箱２、収納容器３、勾配調整手段４、基礎立ち上がり部９、基礎開口１０、せっこうボード２２、ポリウレタンフォーム２３となっている。
【００２４】
図２に示すように、基礎は床下部分にコンクリートを打設したべた基礎１とされ、建物外周に沿って基礎立ち上がり部９が設けられている。基礎立ち上がり部９の上部には床梁５、床小梁６、床根太７、床板８が設けられている。また、図１のように、基礎立ち上がり部９の一部には基礎開口１０が設けられている。また、床下には収納箱２が設けられ、その収納箱２の内部よりその開口２ｅを通じて屋外へ出し入れ可能な収納容器３が設けられている。
【００２５】
上記収納箱２は、基礎開口１０に対応する部分のみが開放された開口２ｅを有する箱型形状であり、ステンレス製の天井板２ａ、側板２ｂ、底板２ｃ、背板２ｄにより構成されている。この収納箱２の側板２ｂ，２ｂには内側にそれぞれ、収納箱の内側方向に開放したコの字形状の案内レール１１、１１が設けられている。また、案内レール１１、１１の前端下側にはローラー１２、１２が設けられている。なお、収納箱の大きさは幅が１８００ｍｍから２４００ｍｍ、奥行きが６００ｍｍから９００ｍｍでスキー板などの長尺のものも収納できる大きさである。
【００２６】
収納容器３は、収納箱２の内部に収納可能となるように収納箱２より一回り小さな容器である。また、上面のみが開放された箱型形状であり、ステンレス製の前板３ａ、側板３ｂ、底板３ｃ、背板３ｄにより構成れている。収納容器３の前板３ａは、収納箱２の開口２ｅを密閉する形状になっており、出し入れの際に手をかけるための把手１３が設けられている。また、前板３ａには錠２６が設けられており、収納箱２との間でロックするようになっている。また、収納容器３の側板３ｂ、３ｂの外側には、収納箱２の案内レール１１、１１のコの字形状内に収まる凸形突出体１４、１４が設けられている。
【００２７】
この構成により収納箱２の案内レール１１、１１のコの字形状内を収納容器３の凸形突出体１４、１４が移動することにより収納容器３を屋外へ出し入れすることが可能となっている。また、収納箱２に設けたローラー１２、１２は凸形突出体１４、１４がローラー１２に接触した際に回転することにより収納容器３がスムーズに移動するように補助する働きをしている。
【００２８】
上記収納箱２の開口２ｅの周囲は基礎開口１０を完全に覆う大きさである。また、収納箱２は、基礎開口１０と収納箱２の間に隙間ができないように、タッピングネジ１５で収納箱内側から建物の床梁５及び基礎立ち上がり部９に固定されており、基礎開口１０を密閉するとともに収納箱２が移動することがないようになっている。
【００２９】
以上の構成により、収納箱２の開口２ｅが収納容器３の前板３ａによって密閉されて、収納容器３内の収納物が保護される。また、収納箱２が建物の床下部分とを完全に区画した状態となり、床下部分に風雨やごみなどの異物や、人や小動物などが侵入できないようにしている。また、強度の強い材料であるステンレス製の収納箱２にしていることより、収納箱２を壊して床下部分に侵入することも防止している。以上のように、本発明の収納箱２を設けることにより床下収納装置の防犯性などが向上する。
【００３０】
また、収納箱２の底板２ｃには、図２に示すような底板の勾配調整手段４が設けられている。
この底板の勾配調整手段４は、収納箱２の底板２ｃに固定した長ナット１７、べた基礎１に設置したレベルボルト１８、台座１９、長ナット１７のキャップ２０により構成されている。
【００３１】
長ナット１７は収納箱２の底板２ｃに溶接１６により固定されている。長ナット１７には、レベルボルト１８が垂直に螺合されている。レベルボルト１８の下部には台座１９が自転可能なように設けられており、べた基礎１上に載置される。レベルボルト１８の上部にはレベルボルト１８を回転するための十字の工具係合溝２４がある。収納箱２内側から工具係合溝２４に工具を係合させて回動して、レベルボルト１８を上下方向に移動し、その移動に追随して底板２ｃが上下方向に移動をするようになっている。このことより、底板２ｃの勾配調整が行われている。また勾配は、水勾配を考慮し、約３／１００勾配に調整されている。
【００３２】
上記のように、勾配調整が可能なことにより、施工時の誤差を調整し、計画した水勾配にすることが可能である。
このことより、開口２ｅより万一雨水が侵入したとしても、浸入した雨水は、底板２ｃの勾配に沿って開口２ｅの方向に流れ、水切り２５から屋外に排水される。また、収納箱２内を水洗いする場合も同様に容易に排水される。よって、収納箱２の内部に雨水などが留まることを防止でき排水性が向上する。
【００３３】
また、収納容器３の前板３ａの端部にゴム製のパッキン１６を取り付けし、収納容器３を収納した際のその開口２ｅの気密性を図り雨水が床下収納装置内に浸入しないようにする。また、収納箱２の開口部には外壁面及び収納容器３の前板３ａより突き出す長さの水切り２１を設置し、外壁を伝って降下した雨水が収納箱２の外周から床下内に浸入しないように、また、収納箱２内に浸入することを抑制する。
【００３４】
また、収納箱２の天板２ａ、側板２ｂ、背板２ｄの外側面には耐火性の向上する材料である厚み１２．５ｍｍのせっこうボード２２が全面にわたり接着剤により貼り付けされている。更にその外側には断熱性が向上する材料である厚み３０ｍｍのポリウレタンフォーム２３が全面にわたり貼り付けされている。
【００３５】
この貼り付けされたせっこうボード２２により、火災時の炎が建物の床下部分への侵入を防止することが可能となり、床下収納装置及び建物の耐火性が向上する。また、ポリウレタンフォーム２３を貼り付けることによって外気との温度差の抑制が可能となり床下収納装置及び建物としての断熱性が向上する。
【００３６】
以上、本発明の実施例を説明したが、本発明は上記実施例に限定されるものではなく、本発明の要旨を逸脱しない範囲の設計変更があっても本発明に含まれるのは勿論である。例えば、耐火性の向上する材料、断熱性が向上する材料を収納箱の内側に設けたものや、設ける順序を変えたものであってもよい。基礎立ち上がり部９は、建物外周などの壁であってもよい。また、床板８部分に開口を設けて出し入れを行うことを併用して使用するものであってもよい。
【産業上の利用可能性】
【００３７】
建物の収納スペースとして、防犯性、排水性、防火性、断熱性に優れた効果のある床下収納装置として有効である。
【図面の簡単な説明】
【００３８】
【図１】本発明の床下収納装置の組立図
【図２】本発明の床下収納装置の断面図
【図３】底板に設けた勾配調整手段の詳細図
【符号の説明】
【００３９】
１    べた基礎    
２    収納箱      
２ａ  天井板
２ｂ  側板
２ｃ  底板
２ｄ  背板
２ｅ  開口
３    収納容器    
３ａ  前板
３ｂ  側板
３ｃ  底板
３ｄ  背板
４    勾配調整手段
５    床梁
６    床小梁
７    床根太
８    床板
９    基礎立ち上がり部
１０    基礎開口
１１    案内レール
１２    ローラー
１３    把手
１４    凸形突出体
１５    タッピングネジ
１６    パッキン
１７    長ナット
１８    レベルボルト
１９    台座
２０    キャップ
２１    水切り
２２    せっこうボード
２３    ポリウレタンフォーム
２４    溝
２５    水切り
２６    錠
２７    断熱材
【図１】
2006144310.tif 000003
【図２】
2006144310.tif 000004
【図３】
2006144310.tif 000005